(57)【要約】【課題】手書きの秘密情報を記入させる用途に適用する。【解決手段】葉書大の本体用紙１１と、折返し用のミシン線１３を介して本体用紙１１に連接する基材用紙１２とを設け、基材用紙１２には、強粘着剤２１、粘着剤２２の境界に沿って切取り用のミシン線１２ａを形成する。【選択図】図１
2006281646.tif 000002
【特許請求の範囲】
【請求項１】
葉書上の秘密情報を隠蔽可能な方形の基材用紙からなり、該基材用紙は、剥離不能な感圧性の強粘着剤を少なくとも相対向する２辺に沿って配置し、剥離可能な感圧性の粘着剤を前記強粘着剤の領域以外のほぼ全域に配置し、前記強粘着剤、粘着剤の境界に沿って切取り用のミシン線を形成することを特徴とする葉書用の隠蔽シール。
【請求項２】
葉書大の本体用紙と、該本体用紙上の秘密情報を隠蔽可能な方形の基材用紙とからなり、該基材用紙は、折返し用のミシン線を介して前記本体用紙に連接するとともに、剥離不能な感圧性の強粘着剤を前記折返し用のミシン線に対向する１辺に沿って配置し、剥離可能な感圧性の粘着剤を前記強粘着剤の領域以外のほぼ全域に配置し、前記強粘着剤、粘着剤の境界に沿って切取り用のミシン線を形成することを特徴とする隠蔽葉書。
【請求項３】
前記強粘着剤は、前記折返し用のミシン線に対向する１辺に代えて、前記折返し用のミシン線に直交する２辺に沿って配置することを特徴とする請求項２記載の隠蔽葉書。
【請求項４】
前記基材用紙には、前記強粘着剤、粘着剤を保護する剥離紙を付加することを特徴とする請求項２または請求項３記載の隠蔽葉書。
【発明の詳細な説明】
【技術分野】
【０００１】
この発明は、葉書上の秘密情報を隠蔽し、開封された事実を証拠として残すことができる葉書用の隠蔽シールと、隠蔽葉書に関する。
【背景技術】
【０００２】
葉書上の秘密情報を隠蔽するために、隠蔽用のシールが用いられている。なお、隠蔽用のシールは、葉書と別体にしてもよく、たとえば折返し用のミシン線を介して葉書と一体に連接し、いわゆる隠蔽葉書としてもよい。
【０００３】
隠蔽葉書の隠蔽用のシールについて、折返し用のミシン線を介して折り返される折返しの先端側の端縁に沿って剥離不能な強粘着剤を細幅に塗布し、強粘着剤の領域の直近内側に切取り用のミシン線を形成するものが提案されている（特許文献１）。ただし、強粘着剤の領域以外の折返しの全域と、葉書の全面または折返し用の接着予定部分とには、剥離可能な粘着剤が塗布されている。このものは、切取り用のミシン線に沿って隠蔽用のシールを破断しながら剥離して開封するものであり、秘密情報の秘密保持性を高めるとともに、切り離されたシールの一部が葉書上に残るから、開封された事実を証拠として確実に残すことができる。
【０００４】
なお、強圧力を加えて隠蔽用のシールを接着し、一旦開封すると再接着不能な隠蔽葉書も知られている（特許文献２）。このものは、開封するとシールの擬似接着層が層間破壊して再接着不能となり、開封された事実を証拠として残すことができるが、シールの接着に専用設備が必要であるため、たとえば個人が秘密情報を隠蔽する用途に対し、明らかに不適切である。
【特許文献１】特開平７−１７１６５号公報
【特許文献２】特公平５−５７１１８号公報
【発明の開示】
【発明が解決しようとする課題】
【０００５】
かかる従来技術の前者（特許文献１）によるときは、葉書の全面または折返し用の接着予定部分には、隠蔽用の折返しと連続する剥離可能な粘着剤が配置されているから、折返しによって隠蔽すべき秘密情報を記載してから粘着剤を塗布したり、粘着剤の上から秘密情報を記載したりする必要があり、特殊なプリンタによって印字する場合はよいとしても、たとえば個人に対して手書きにより秘密情報の記入を求めるような用途に対し、本質的に不適切であるという問題があった。
【０００６】
そこで、この発明の目的は、かかる従来技術の問題に鑑み、基材用紙にのみ粘着剤、強粘着剤を配置することによって、たとえば手書きにより秘密情報の記入を求めるような用途に対して好適に適用することができる葉書用の隠蔽シールと、隠蔽葉書を提供することにある。
【課題を解決するための手段】
【０００７】
かかる目的を達成するためのこの出願に係る第１発明（請求項１に係る発明をいう、以下同じ）の構成は、葉書上の秘密情報を隠蔽可能な方形の基材用紙からなり、基材用紙は、剥離不能な感圧性の強粘着剤を少なくとも相対向する２辺に沿って配置し、剥離可能な感圧性の粘着剤を強粘着剤の領域以外のほぼ全域に配置し、強粘着剤、粘着剤の境界に沿って切取り用のミシン線を形成することをその要旨とする。
【０００８】
第２発明（請求項２に係る発明をいう、以下同じ）の構成は、葉書大の本体用紙と、本体用紙上の秘密情報を隠蔽可能な方形の基材用紙とからなり、基材用紙は、折返し用のミシン線を介して本体用紙に連接するとともに、剥離不能な感圧性の強粘着剤を折返し用のミシン線に対向する１辺に沿って配置し、剥離可能な感圧性の粘着剤を強粘着剤の領域以外のほぼ全域に配置し、強粘着剤、粘着剤の境界に沿って切取り用のミシン線を形成することをその要旨とする。
【０００９】
なお、強粘着剤は、折返し用のミシン線に対向する１辺に代えて、折返し用のミシン線に直交する２辺に沿って配置することができ、基材用紙には、強粘着剤、粘着剤を保護する剥離紙を付加することができる。
【００１０】
ただし、この出願において、「ほぼ全域」とは、たとえば強粘着剤、粘着剤の各領域の外側や、これらの領域間に残す切取り用のミシン線を形成するための微少幅の隙間を除く全域をいう。
【発明の効果】
【００１１】
かかる第１発明の構成によるときは、基材用紙は、強粘着剤、粘着剤を介して葉書に接着することにより、葉書上の秘密情報を隠蔽することができる。すなわち、基材用紙は、葉書より大きくなく、葉書上の秘密情報の表示領域を十分被覆可能な大きさであり、秘密情報を読み取ることができないように、光の透過性が十分小さいものとする。なお、強粘着剤、粘着剤は、専用設備を必要とせず、手指の圧力により簡単に接着可能であり、秘密情報は、粘着剤がない葉書の表面に記入すればよいから、たとえば手書きにより個人に対して秘密情報の記入を求める用途にも、好適に適用することができる。
【００１２】
秘密情報を読み取るときは、切取り用のミシン線に沿って基材用紙を切り離しながら剥離して開封する。このとき、開封後の葉書の表面には、切り離された基材用紙の一部が細幅に残り、開封された事実を証拠として残すことができる。切取り用のミシン線の外側の強粘着剤は、剥離不能であるからである。
【００１３】
基材用紙は、たとえば１２８ｇ／ｍ2 の上質紙の他、任意の紙材が使用可能である。また、秘密情報の隠蔽性を向上させるために、表面側に複雑な連続文様を印刷してもよく、表面の美粧性を向上させるために、コート紙を使用してもよい。なお、切取り用のミシン線は、たとえばカット部２mm、タイ部０．８mmに設定することにより、剥離時に適度の抵抗を生じさせることができる。
【００１４】
粘着剤は、たとえば天然ゴム主成分の水性エマルジョン形感圧接着剤であって、剥離強度５〜２０ｇ／cm程度の接着力を有するものが好ましく、強粘着剤は、たとえばホットメルト形感圧接着剤であって、オープンタイム０．５秒以下、接着後２時間程度で基材用紙や葉書用紙の表面破壊を引き起すだけの強力な接着力を発現するものが好ましい。また、強粘着剤は、基材用紙の少なくとも相対向する２辺に配置することにより、証拠を残さずに開封することが難しくなり、内部の秘密情報を十分に秘密保持することが可能である。
【００１５】
第２発明の構成によるときは、隠蔽用の基材用紙が折返し用のミシン線を介して葉書用の本体用紙に連接されており、したがって、両者が一体に構成されている点を除き、第１発明とほぼ同等である。すなわち、第２発明も、第１発明と同様の強粘着剤、粘着剤を使用し、強粘着剤、粘着剤の境界に沿って第１発明と同様の切取り用のミシン線を形成し、折返し用のミシン線を介して基材用紙を本体用紙に折り重ねることにより、同様に作用し、同様の効果を奏することができる。なお、第２発明の基材用紙は、それを剥離して開封するとき、本体用紙から切り離す訳ではないため、折返し用のミシン線に対向する１辺に沿って、または折返し用のミシン線に直交する２辺に沿って強粘着剤を配置すれば十分である。折返し用のミシン線は、たとえばカット部２mm、タイ部１．５mmが好適であるが、紙質により適宜変更することができる。また、本体用紙、基材用紙は、全体として、２〜６ｇの私製はがきの重量制限内に入る用紙を使用するものとする。
【００１６】
基材用紙に剥離紙を付加することにより、本体用紙、基材用紙を見開きにして積層しても、強粘着剤、粘着剤を適切に保護することができる。なお、剥離紙は、使用時に強粘着剤から円滑に剥がして除去し得るように、シリコーン含有ニスなどによる離型処理紙を使用するものとする。
【発明を実施するための最良の形態】
【００１７】
以下、図面を以って発明の実施の形態を説明する。
【００１８】
隠蔽葉書は、葉書大の本体用紙１１に隠蔽用の基材用紙１２を連接してなる（図１）。ただし、図１（Ａ）、（Ｂ）は、それぞれ全体平面相当図、全体側面相当図であり、同図（Ｂ）は、本体用紙１１、基材用紙１２の厚さ方向を誇張して図示されている。
【００１９】
本体用紙１１の表面には、「郵便はがき」の表示、切手欄の表示の他、宛名用の記載領域１１ａ、秘密情報の表示領域１１ｂが設けられている。
【００２０】
基材用紙１２は、本体用紙１１の下側の短辺に対し、折返し用のミシン線１３を介して連接されている。基材用紙１２は、本体用紙１１と同幅の方形に形成されており、折返し用のミシン線１３を介して本体用紙１１上に折り重ねるとき、本体用紙１１上の秘密情報の表示領域１１ｂを全部被覆して秘密情報を隠蔽することができる。
【００２１】
基材用紙１２には、折返し用のミシン線１３に対向する１辺に沿って、剥離不能な感圧性の強粘着剤２１が細幅に塗布して配置されている。また、基材用紙１２には、強粘着剤２１の領域以外のほぼ全域に対し、剥離可能な感圧性の粘着剤２２が塗布して配置されている。なお、基材用紙１２には、強粘着剤２１、粘着剤２２の境界に沿って切取り用のミシン線１２ａが基材用紙１２の全幅に亘って形成されており、したがって、強粘着剤２１の領域は、切取り用のミシン線１２ａの外側の細幅の区画領域Ａに含まれている。
【００２２】
ただし、図１（Ａ）において、強粘着剤２１、粘着剤２２の境界には、切取り用のミシン線１２ａを設けるための隙間ｇが図示されているが、隙間ｇは、必ずしも設ける必要がない。また、基材用紙１２には、強粘着剤２１、粘着剤２２を保護する共通の剥離紙１４が付加されている。
【００２３】
かかる隠蔽葉書は、基材用紙１２から剥離紙１４を剥がし取って除去した上、折返し用のミシン線１３を介して基材用紙１２を本体用紙１１上に折り重ね、強粘着剤２１、粘着剤２２を介して本体用紙１１に接着することにより、本体用紙１１上の表示領域１１ｂ内に記入された秘密情報を隠蔽することができる（図２（Ａ）、（Ｂ））。ただし、図２（Ａ）、（Ｂ）は、それぞれ基材用紙１２を折り重ねた状態の図１（Ａ）、（Ｂ）相当図である。そこで、隠蔽葉書は、このまま投函し、葉書として郵送することができる。
【００２４】
隠蔽葉書の受取人は、本体用紙１１から基材用紙１２を剥離することにより、本体用紙１１上の秘密情報を開封して読み取ることができる（図２（Ｃ））。このとき、強粘着剤２１は、剥離不能であるため、切取り用のミシン線１２ａに沿って基材用紙１２を切り離しながら剥離するものとし、したがって、基材用紙１２は、区画領域Ａの相当部分Ａ1 だけを本体用紙１１上に残して剥離することができる。すなわち、本体用紙１１上の細幅の相当部分Ａ1 は、開封の事実を示す証拠として利用することができる。
【００２５】
基材用紙１２は、折返し用のミシン線１３を介し、本体用紙１１の一方の長辺側に連接してもよい（図３）。基材用紙１２は、葉書大の本体用紙１１の幅より僅かに小さい幅に形成されている。
【００２６】
そこで、基材用紙１２は、剥離紙１４を除去して本体用紙１１上に折り重ねて接着することにより（図３の二点鎖線、図４の実線）、本体用紙１１上の秘密情報を隠蔽することができ、強粘着剤２１、粘着剤２２の境界に沿う切取り用のミシン線１２ａを介して基材用紙１２を切り離しながら剥離して秘密情報を開封することができる（図４の二点鎖線）。なお、基材用紙１２を剥離すると、強粘着剤２１により基材用紙１２の区画領域Ａの相当部分Ａ1 が本体用紙１１側に残る。
【００２７】
強粘着剤２１は、基材用紙１２に対し、折返し用のミシン線１３に直交する２辺に沿って配置してもよい（図５）。ただし、図５（Ｂ）は、折返し用のミシン線１３を介して基材用紙１２を本体用紙１１上に折り重ねたときの同図（Ａ）のＸ−Ｘ線矢視相当模式断面図である。なお、図５において、強粘着剤２１、２１、粘着剤２２を保護する剥離紙１４は、図示が省略されている。
【００２８】
基材用紙１２は、折返し用のミシン線１３を介して本体用紙１１上に折り重ね、強粘着剤２１、２１、粘着剤２２を介して接着することにより、表示領域１１ｂ内の秘密情報を隠蔽することができる（図５（Ｂ）の実線）。また、基材用紙１２は、切取り用のミシン線１２ａ、１２ａを介して切り離しながら剥離して秘密情報を開封し（同図の二点鎖線）、このとき、強粘着剤２１、２１を介して区画領域Ａ、Ａの相当部分Ａ1 、Ａ1 を本体用紙１１上に残すことができる。
【００２９】
基材用紙１２は、葉書Ｐと別体の葉書用の隠蔽シールとして形成することができる（図６）。ただし、図６（Ａ）、（Ｂ）は、それぞれ全体平面図、使用状態平面図であり、同図（Ｃ）は、同図（Ｂ）のＹ−Ｙ線矢視相当拡大断面図である。
【００３０】
強粘着剤２１は、方形の基材用紙１２の短辺側の２辺に沿って細幅に塗布して配置されている（図６（Ａ））。また、強粘着剤２１の各領域は、粘着剤２２との境界に沿う切取り用のミシン線１２ａの外側の細幅の区画領域Ａに含まれている。そこで、基材用紙１２は、剥離紙１４を除去し、強粘着剤２１、２１、粘着剤２２を介して葉書Ｐ上の秘密情報の表示領域Ｐ1 上に接着することにより、表示領域Ｐ1 内の秘密情報を隠蔽することができる（同図（Ｂ）、（Ｃ））。また、切取り用のミシン線１２ａ、１２ａに沿って切り離しながら基材用紙１２を剥離して開封すると、強粘着剤２１、２１により基材用紙１２側の各区画領域Ａの相当部分Ａ1 、Ａ1 が葉書Ｐ側に残る。
【００３１】
なお、図６において、強粘着剤２１は、区画領域Ａとともに、基材用紙１２の長辺側の２辺に沿って配置してもよく、相対向する２辺を含む３辺以上に沿って配置してもよい。
【００３２】
以上の説明において、強粘着剤２１、粘着剤２２の境界や、そこに形成する切取り用のミシン線１２ａは、必ずしも直線でなくてもよく、湾曲線などであってもよい。
【図面の簡単な説明】
【００３３】
【図１】全体構成説明図
【図２】使用状態説明図
【図３】他の実施の形態を示す全体平面図
【図４】図３の使用状態説明図
【図５】他の実施の形態を示す構成説明図（１）
【図６】他の実施の形態を示す構成説明図（２）
【符号の説明】
【００３４】
Ｐ…葉書
１１…本体用紙
１２…基材用紙
１２ａ…切取り用のミシン線
１３…折返し用のミシン線
１４…剥離紙
２１…強粘着剤
２２…粘着剤
特許出願人          福島印刷株式会社
代理人  弁理士        松  田  忠  秋
【図１】
2006281646.tif 000003
【図２】
2006281646.tif 000004
【図３】
2006281646.tif 000005
【図４】
2006281646.tif 000006
【図５】
2006281646.tif 000007
【図６】
2006281646.tif 000008